(57)【要約】      （修正有）【課題】光ファイバーケーブルを有する二重螺旋導体の電磁的効果を使用することによって、患者を治療するデバイスおよび／またはシステムを提供する。【解決手段】本体１５であって、絡み合わせられて互いに二重螺旋に螺旋状に巻かれた第一のランナー１６および第二のランナー１７であって、該第一のランナーの少なくとも一部分は、電磁放射線を伝送するように構成された可撓性の透明繊維を備える。更に該第一のランナーの周囲に螺旋状に巻かれた第一の伝導性ワイヤと備える電磁放射線の源であって、電磁放射線の源は、該第一のランナーと動作可能に連結されて、該可撓性の透明繊維を通して電磁放射線を伝送するように配置されており、該伝送された電磁放射線の一部は、該可撓性の透明繊維から放出される。【選択図】図１
2015085194.tif 000002
【特許請求の範囲】
【請求項１】
本体であって、
絡み合わせられて互いに二重螺旋に螺旋状に巻かれた第一のランナーおよび第二のランナーであって、該第一のランナーの少なくとも一部分は、電磁放射線を伝送するように構成された可撓性の透明繊維を備える、第一のランナーおよび第二のランナーと、
該第一のランナーの周囲に螺旋状に巻かれた第一の伝導性ワイヤと
を備える、本体；
１個または１個より多くの電磁放射線の源であって、該１個または１個より多くの電磁放射線の源は、該第一のランナーと動作可能に連結されて、該可撓性の透明繊維を通して電磁放射線を伝送するように配置されており、該伝送された電磁放射線の一部は、該可撓性の透明繊維から放出される、１個または１個より多くの電磁放射線の源；ならびに
該第一の伝導性ワイヤに交流を提供する１個または１個より多くの電流源
を備えるシステムであって、該システムは、該交流が提供されることおよび該電磁放射線が放出されることに応答して、電磁的効果を発生させるように構成されている、システム。
【請求項２】
前記システムは、該システムの近位で被験体に治療を提供するようにさらに構成されており、該治療は、前記発生した電磁的効果および前記放出された電磁放射線のうちの一方または両方を通して提供される、請求項１に記載のシステム。
【請求項３】
前記第二のランナーの少なくとも一部分は、第二の可撓性の透明繊維を備え、該第二の可撓性の透明繊維は、電磁放射線を伝送するように構成されており、前記１個または１個より多くの電磁放射線の源は、該第二の可撓性の透明繊維を通して電磁放射線を伝送し、該第二の可撓性の透明繊維を通して該伝送された電磁放射線の一部は、該第二の可撓性の透明繊維から放出され、該第二の可撓性の透明繊維から放出された該電磁放射線は、前記電磁的効果に寄与する、請求項１に記載のシステム。
【請求項４】
前記本体は、前記第二のランナーの周囲に螺旋状に巻かれた第二の伝導性ワイヤをさらに備え、前記１個または１個より多くの電流源は、前記発生した電磁的効果に寄与する第二の交流を該第二の伝導性ワイヤに提供する、請求項３に記載のシステム。
【請求項５】
前記可撓性の透明繊維を通して伝送された前記電磁放射線は、特定の周波数を有する可視光を含む、請求項１に記載のシステム。
【請求項６】
前記可撓性の透明繊維を通して伝送された前記電磁放射線は、１個または１個より多くの画像を表す１つまたは１つより多くの信号を含む、請求項１に記載のシステム。
【請求項７】
前記可撓性の透明繊維を通して伝送された前記電磁放射線は、ビデオ情報を表す１つまたは１つより多くの信号を含む、請求項１に記載のシステム。
【請求項８】
前記可撓性の透明繊維を通して伝送された前記電磁放射線は、第一のキャリア信号と、１つまたは１つより多くの信号周波数を有する第一の変調信号とを含み、該１つまたは１つより多くの信号周波数は、ヒトに見えるスペクトル範囲内の周波数を含む、請求項１に記載のシステム。
【請求項９】
前記可撓性の透明繊維を通して伝送された前記電磁放射線は、第一のキャリア信号と、１つまたは１つより多くの信号周波数を有する第一の変調信号とを含み、該１つまたは１つより多くの信号周波数は、ヒトに聞こえるスペクトル範囲内の周波数を含む、請求項１に記載のシステム。
【請求項１０】
前記１個または１個より多くの電磁放射線の源は、前記可撓性の透明繊維を通して伝送された前記電磁放射線を、前記１個または１個より多くの電流源によって前記第一の伝導性ワイヤに提供された前記交流に対応させるように動的に制御するように構成されており、その結果、該電磁放射線の１つまたは１つより多くの周波数は、該交流の１つまたは１つより多くの周波数に対応する、請求項１に記載のシステム。
【請求項１１】
前記１個または１個より多くの電流源は、前記交流を、前記可撓性の透明繊維を通して伝送された前記電磁放射線に対応させるように動的に制御するように構成されており、その結果、該交流の１つまたは１つより多くの周波数は、該電磁放射線の１つまたは１つより多くの周波数に対応する、請求項１に記載のシステム。
【請求項１２】
前記電磁的効果は電磁場を含む、請求項１に記載のシステム。
【請求項１３】
前記提供される治療は、光線療法を含む、請求項２に記載のシステム。
【請求項１４】
前記提供される治療は、前記被験体の周囲の赤外場と相互作用する、請求項２に記載のシステム。
【請求項１５】
前記提供される治療は、前記被験体のエネルギーの流れと相互作用する、請求項２に記載のシステム。
【請求項１６】
本体であって、
絡み合わせられて互いに二重螺旋に螺旋状に巻かれた第一のランナーおよび第二のランナーと、
該第一のランナーの周囲に螺旋状に巻かれた可撓性の透明繊維であって、該可撓性の透明繊維は、電磁放射線を伝送するように構成されている、可撓性の透明繊維と
を備える、本体；ならびに
１個または１個より多くの電磁放射線の源であって、該１個または１個より多くの電磁放射線の源は、該繊維と動作可能に連結されて、該可撓性の透明繊維を通して電磁放射線を伝送するするように配置されており、該伝送された電磁放射線の一部は、該可撓性の透明繊維から放出される、１個または１個より多くの電磁放射線の源
を備えるシステムであって、該システムは、該電磁放射線が放出されることに応答して電磁的効果を発生させるように構成されている、システム。
【請求項１７】
前記システムは、該システムの近くの被験体に治療を提供するようにさらに構成されており、該治療は、前記発生した電磁的効果を通して提供される、請求項１６に記載のシステム。
【請求項１８】
前記本体は、前記第一のランナーの周囲に螺旋状に巻かれた伝導性ワイヤおよび１個または１個より多くの交流電流源をさらに備え、該１個または１個より多くの交流電流源は、該伝導性ワイヤに電気的に連結されて、該伝導性ワイヤを通して交流を供給するように構成されており、前記システムは、該交流が供給されることに応答して、前記電磁的効果に寄与するように構成されている、請求項１６に記載のシステム。
【請求項１９】
前記本体は、前記第二のランナーの周囲に螺旋状に巻かれた第二の可撓性の透明繊維をさらに備え、該第二の可撓性の透明繊維は、電磁放射線を伝送するように構成されており、前記１個または１個より多くの電磁放射線の源は、該第二の可撓性の透明繊維を通して特定の電磁放射線を伝送し、該特定の電磁放射線の一部は、第二の可撓性の透明繊維から放出され、そして該特定の電磁放射線は、前記発生した電磁的効果に寄与する、請求項１６に記載のシステム。
【請求項２０】
前記電磁的効果は電磁場を含む、請求項１８に記載のシステム。
【請求項２１】
前記可撓性の透明繊維を通して伝送された前記電磁放射線は、特定の周波数を有する可視光を含む、請求項１６に記載のシステム。
【請求項２２】
前記可撓性の透明繊維を通して伝送された前記電磁放射線は、１個または１個より多くの画像を表す１つまたは１つより多くの信号を含む、請求項１６に記載のシステム。
【請求項２３】
前記可撓性の透明繊維を通して伝送された前記電磁放射線は、ビデオ情報を表す１つまたは１つより多くの信号を含む、請求項１６に記載のシステム。
【請求項２４】
前記可撓性の透明繊維を通して伝送された前記電磁放射線は、第一のキャリア信号と、１つまたは１つより多くの信号周波数を有する第一の変調信号とを含み、該１つまたは１つより多くの信号周波数は、ヒトに見えるスペクトル範囲内の周波数を含む、請求項１６に記載のシステム。
【請求項２５】
前記可撓性の透明繊維を通して伝送された前記電磁放射線は、第一のキャリア信号と、１つまたは１つより多くの信号周波数を有する第一の変調信号とを含み、該１つまたは１つより多くの信号周波数は、ヒトに聞こえるスペクトル範囲内の周波数を含む、請求項１６に記載のシステム。
【請求項２６】
前記１個または１個より多くの電磁放射線の源は、前記可撓性の透明繊維を通して伝送された前記電磁放射線を、前記１個または１個より多くの電流源によって前記第一の伝導性ワイヤに提供された前記交流に対応させるように動的に制御するように構成されており、その結果、該電磁放射線の１つまたは１つより多くの周波数は、該交流の１つまたは１つより多くの周波数に対応する、請求項１８に記載のシステム。
【請求項２７】
前記１個または１個より多くの電流源は、前記交流を、前記可撓性の透明繊維を通して伝送された前記電磁放射線に対応させるように動的に制御するように構成されており、その結果、該交流の１つまたは１つより多くの周波数は、該電磁放射線の１つまたは１つより多くの周波数に対応する、請求項１８に記載のシステム。
【請求項２８】
前記提供される治療は、光線療法を含む、請求項１７に記載のシステム。
【請求項２９】
前記提供される治療は、前記被験体の周囲の赤外場と相互作用する、請求項１７に記載のシステム。
【請求項３０】
前記提供される治療は、前記被験体のエネルギーの流れと相互作用する、請求項１９に記載のシステム。
【請求項３１】
コンピュータ読み取り可能な命令を介して、
１個または１個より多くのデジタルオーディオファイルを含む情報を得；
該得られた情報を処理し、そして該得られた情報に基づいて、処理された信号を発生させ、そして
該処理された信号に基づいて、音響信号を生成し、ここで前記交流は、該生成された音響信号に対応するように動的に制御され、その結果、該交流の１つまたは１つより多くの周波数は、該生成された音響信号の１つまたは１つより多くの周波数に対応する
ように構成された、１個または１個より多くの物理プロセッサをさらに備える、請求項１または請求項１８に記載のシステム。
【請求項３２】
前記伝導性ワイヤは、１対の捩られた磁性ワイヤによって形成されている、請求項１または請求項１８に記載のシステム。
【発明の詳細な説明】
【技術分野】
【０００１】
発明の分野
本発明は、１本もしくは１本より多くの可撓性の透明繊維（例えば、光ファイバーケーブル）および／または伝導性ワイヤが周囲に巻かれ得る、螺旋状に巻かれたランナーを備える本体、このような本体を備えるデバイス、ならびに／あるいはこのような本体を備える（電気）システムに関する。本発明はさらに、１本または１本より多くの伝導性ワイヤが周囲に巻かれ得る、螺旋状に巻かれた可撓性の透明繊維（例えば、光ファイバーケーブル）を備える本体、このような本体を備えるデバイス、および／あるいはこのような本体を備える（電気）システムに関する。本発明はさらに、このような本体、デバイス、および／またはシステムの製造に関する。本発明はさらに、このようなデバイスおよびシステムの作動方法、ならびにその応用に関する。本発明はさらに、電磁場などの電磁的効果を使用することによって、患者に治療を提供するように構成されたこのようなデバイスおよび／またはシステムに関する。
【背景技術】
【０００２】
発明の背景
螺旋状に巻かれた導電体は、特定の電磁的性質および／または電磁的効果を示し得ることが公知である。例えば、電磁コイルは、誘導器および／または変圧器の一部として働き得、そして電気回路における確立された有用な多くの用途を有することが公知である。１個または１個より多くの電磁コイルは、例えば、１個または１個より多くの活性電流源が１個または１個より多くのコイルに動作可能に連結される場合にもたらされる電磁場および／または他の電磁的効果を利用するために使用され得る。
【発明の概要】
【課題を解決するための手段】
【０００３】
本発明は、例えば、以下を提供する：
（項目１）
本体であって、
絡み合わせられて互いに二重螺旋に螺旋状に巻かれた第一のランナーおよび第二のランナーであって、該第一のランナーの少なくとも一部分は、電磁放射線を伝送するように構成された可撓性の透明繊維を備える、第一のランナーおよび第二のランナーと、
該第一のランナーの周囲に螺旋状に巻かれた第一の伝導性ワイヤと
を備える、本体；
１個または１個より多くの電磁放射線の源であって、該１個または１個より多くの電磁放射線の源は、該第一のランナーと動作可能に連結されて、該可撓性の透明繊維を通して電磁放射線を伝送するように配置されており、該伝送された電磁放射線の一部は、該可撓性の透明繊維から放出される、１個または１個より多くの電磁放射線の源；ならびに
該第一の伝導性ワイヤに交流を提供する１個または１個より多くの電流源
を備えるシステムであって、該システムは、該交流が提供されることおよび該電磁放射線が放出されることに応答して、電磁的効果を発生させるように構成されている、システム。
（項目２）
上記システムは、該システムの近位で被験体に治療を提供するようにさらに構成されており、該治療は、上記発生した電磁的効果および上記放出された電磁放射線のうちの一方または両方を通して提供される、上記項目に記載のシステム。
（項目３）
上記第二のランナーの少なくとも一部分は、第二の可撓性の透明繊維を備え、該第二の可撓性の透明繊維は、電磁放射線を伝送するように構成されており、上記１個または１個より多くの電磁放射線の源は、該第二の可撓性の透明繊維を通して電磁放射線を伝送し、該第二の可撓性の透明繊維を通して該伝送された電磁放射線の一部は、該第二の可撓性の透明繊維から放出され、該第二の可撓性の透明繊維から放出された該電磁放射線は、上記電磁的効果に寄与する、上記項目のいずれかに記載のシステム。
（項目４）
上記本体は、上記第二のランナーの周囲に螺旋状に巻かれた第二の伝導性ワイヤをさらに備え、上記１個または１個より多くの電流源は、上記発生した電磁的効果に寄与する第二の交流を該第二の伝導性ワイヤに提供する、上記項目のいずれかに記載のシステム。
（項目５）
上記可撓性の透明繊維を通して伝送された上記電磁放射線は、特定の周波数を有する可視光を含む、上記項目のいずれかに記載のシステム。
（項目６）
上記可撓性の透明繊維を通して伝送された上記電磁放射線は、１個または１個より多くの画像を表す１つまたは１つより多くの信号を含む、上記項目のいずれかに記載のシステム。
（項目７）
上記可撓性の透明繊維を通して伝送された上記電磁放射線は、ビデオ情報を表す１つまたは１つより多くの信号を含む、上記項目のいずれかに記載のシステム。
（項目８）
上記可撓性の透明繊維を通して伝送された上記電磁放射線は、第一のキャリア信号と、１つまたは１つより多くの信号周波数を有する第一の変調信号とを含み、該１つまたは１つより多くの信号周波数は、ヒトに見えるスペクトル範囲内の周波数を含む、上記項目のいずれかに記載のシステム。
（項目９）
上記可撓性の透明繊維を通して伝送された上記電磁放射線は、第一のキャリア信号と、１つまたは１つより多くの信号周波数を有する第一の変調信号とを含み、該１つまたは１つより多くの信号周波数は、ヒトに聞こえるスペクトル範囲内の周波数を含む、上記項目のいずれかに記載のシステム。
（項目１０）
上記１個または１個より多くの電磁放射線の源は、上記可撓性の透明繊維を通して伝送された上記電磁放射線を、上記１個または１個より多くの電流源によって上記第一の伝導性ワイヤに提供された上記交流に対応させるように動的に制御するように構成されており、その結果、該電磁放射線の１つまたは１つより多くの周波数は、該交流の１つまたは１つより多くの周波数に対応する、上記項目のいずれかに記載のシステム。
（項目１１）
上記１個または１個より多くの電流源は、上記交流を、上記可撓性の透明繊維を通して伝送された上記電磁放射線に対応させるように動的に制御するように構成されており、その結果、該交流の１つまたは１つより多くの周波数は、該電磁放射線の１つまたは１つより多くの周波数に対応する、上記項目のいずれかに記載のシステム。
（項目１２）
上記電磁的効果は電磁場を含む、上記項目のいずれかに記載のシステム。
（項目１３）
上記提供される治療は、光線療法を含む、上記項目のいずれかに記載のシステム。
（項目１４）
上記提供される治療は、上記被験体の周囲の赤外場と相互作用する、上記項目のいずれかに記載のシステム。
（項目１５）
上記提供される治療は、上記被験体のエネルギーの流れと相互作用する、上記項目のいずれかに記載のシステム。
（項目１６）
本体であって、
絡み合わせられて互いに二重螺旋に螺旋状に巻かれた第一のランナーおよび第二のランナーと、
該第一のランナーの周囲に螺旋状に巻かれた可撓性の透明繊維であって、該可撓性の透明繊維は、電磁放射線を伝送するように構成されている、可撓性の透明繊維と
を備える、本体；ならびに
１個または１個より多くの電磁放射線の源であって、該１個または１個より多くの電磁放射線の源は、該繊維と動作可能に連結されて、該可撓性の透明繊維を通して電磁放射線を伝送するするように配置されており、該伝送された電磁放射線の一部は、該可撓性の透明繊維から放出される、１個または１個より多くの電磁放射線の源
を備えるシステムであって、該システムは、該電磁放射線が放出されることに応答して電磁的効果を発生させるように構成されている、システム。
（項目１７）
上記システムは、該システムの近くの被験体に治療を提供するようにさらに構成されており、該治療は、上記発生した電磁的効果を通して提供される、上記項目のいずれかに記載のシステム。
（項目１８）
上記本体は、上記第一のランナーの周囲に螺旋状に巻かれた伝導性ワイヤおよび１個または１個より多くの交流電流源をさらに備え、該１個または１個より多くの交流電流源は、該伝導性ワイヤに電気的に連結されて、該伝導性ワイヤを通して交流を供給するように構成されており、上記システムは、該交流が供給されることに応答して、上記電磁的効果に寄与するように構成されている、上記項目のいずれかに記載のシステム。
（項目１９）
上記本体は、上記第二のランナーの周囲に螺旋状に巻かれた第二の可撓性の透明繊維をさらに備え、該第二の可撓性の透明繊維は、電磁放射線を伝送するように構成されており、上記１個または１個より多くの電磁放射線の源は、該第二の可撓性の透明繊維を通して特定の電磁放射線を伝送し、該特定の電磁放射線の一部は、第二の可撓性の透明繊維から放出され、そして該特定の電磁放射線は、上記発生した電磁的効果に寄与する、上記項目のいずれかに記載のシステム。
（項目２０）
上記電磁的効果は電磁場を含む、上記項目のいずれかに記載のシステム。
（項目２１）
上記可撓性の透明繊維を通して伝送された上記電磁放射線は、特定の周波数を有する可視光を含む、上記項目のいずれかに記載のシステム。
（項目２２）
上記可撓性の透明繊維を通して伝送された上記電磁放射線は、１個または１個より多くの画像を表す１つまたは１つより多くの信号を含む、上記項目のいずれかに記載のシステム。
（項目２３）
上記可撓性の透明繊維を通して伝送された上記電磁放射線は、ビデオ情報を表す１つまたは１つより多くの信号を含む、上記項目のいずれかに記載のシステム。
（項目２４）
上記可撓性の透明繊維を通して伝送された上記電磁放射線は、第一のキャリア信号と、１つまたは１つより多くの信号周波数を有する第一の変調信号とを含み、該１つまたは１つより多くの信号周波数は、ヒトに見えるスペクトル範囲内の周波数を含む、上記項目のいずれかに記載のシステム。
（項目２５）
上記可撓性の透明繊維を通して伝送された上記電磁放射線は、第一のキャリア信号と、１つまたは１つより多くの信号周波数を有する第一の変調信号とを含み、該１つまたは１つより多くの信号周波数は、ヒトに聞こえるスペクトル範囲内の周波数を含む、上記項目のいずれかに記載のシステム。
（項目２６）
上記１個または１個より多くの電磁放射線の源は、上記可撓性の透明繊維を通して伝送された上記電磁放射線を、上記１個または１個より多くの電流源によって上記第一の伝導性ワイヤに提供された上記交流に対応させるように動的に制御するように構成されており、その結果、該電磁放射線の１つまたは１つより多くの周波数は、該交流の１つまたは１つより多くの周波数に対応する、上記項目のいずれかに記載のシステム。
（項目２７）
上記１個または１個より多くの電流源は、上記交流を、上記可撓性の透明繊維を通して伝送された上記電磁放射線に対応させるように動的に制御するように構成されており、その結果、該交流の１つまたは１つより多くの周波数は、該電磁放射線の１つまたは１つより多くの周波数に対応する、上記項目のいずれかに記載のシステム。
（項目２８）
上記提供される治療は、光線療法を含む、上記項目のいずれかに記載のシステム。
（項目２９）
上記提供される治療は、上記被験体の周囲の赤外場と相互作用する、上記項目のいずれかに記載のシステム。
（項目３０）
上記提供される治療は、上記被験体のエネルギーの流れと相互作用する、上記項目のいずれかに記載のシステム。
（項目３１）
コンピュータ読み取り可能な命令を介して、
１個または１個より多くのデジタルオーディオファイルを含む情報を得；
該得られた情報を処理し、そして該得られた情報に基づいて、処理された信号を発生させ、そして
該処理された信号に基づいて、音響信号を生成し、ここで上記交流は、該生成された音響信号に対応するように動的に制御され、その結果、該交流の１つまたは１つより多くの周波数は、該生成された音響信号の１つまたは１つより多くの周波数に対応する
ように構成された、１個または１個より多くの物理プロセッサをさらに備える、上記項目のいずれかに記載のシステム。
（項目３２）
電磁的効果を被験体に提供する方法であって、
システムを該被験体上またはその近傍に配置する工程であって、該システムは、本体を備え、該本体は、第一のランナー、第二のランナー、および伝導性ワイヤを備え、該第一のランナーと該第二のランナーとは、互いに二重螺旋に螺旋状に絡み合わせられており、伝導性ワイヤは、該第一のランナーの周囲に螺旋状に巻かれており、該第一のランナーの少なくとも一部は、可撓性の透明繊維を備える、工程；
該可撓性の透明繊維を通して電磁放射線を伝送する工程であって、その結果、該伝送された電磁放射線の一部は、該可撓性の透明繊維から放出される、工程；ならびに
該伝導性ワイヤを通して交流を誘導する工程であって、その結果、該交流は、該被験体上またはその近傍で電磁的効果を発生させ、該放出された電磁放射線は、該電磁的効果に寄与する、工程
を包含する、方法。
（項目３３）
上記発生した電磁的効果を通して被験体に治療を提供する工程をさらに包含する、上記項目に記載の方法。
（項目３４）
上記第二のランナーの少なくとも一部は、第二の可撓性の透明繊維を備え、上記方法は、
該第二の可撓性の透明繊維を通して電磁放射線を伝送する工程であって、その結果、該伝送された電磁放射線の一部は、該第二の可撓性の透明繊維から放出される、工程
をさらに包含し、該第二の可撓性の透明繊維から放出された電磁放射線は、上記電磁的効果に寄与する、上記項目のいずれかに記載の方法。
（項目３５）
上記本体は、上記第二のランナーの周囲に螺旋状に巻かれた第二の伝導性ワイヤをさらに備え、上記方法は、
該第二の伝導性ワイヤを通して第二の交流を誘導する工程であって、その結果、該第二の交流は、上記電磁的効果に寄与する、工程
をさらに包含する、上記項目のいずれかに記載の方法。
（項目３６）
上記可撓性の透明繊維を通して伝送された上記電磁放射線は、特定の周波数を有する可視光を含む、上記項目のいずれかに記載の方法。
（項目３７）
上記可撓性の透明繊維を通して伝送された上記電磁放射線は、１個または１個より多くの画像を表す１つまたは１つより多くの信号を含む、上記項目のいずれかに記載の方法。
（項目３８）
上記可撓性の透明繊維を通して伝送された上記電磁放射線は、ビデオ情報を表す１つまたは１つより多くの信号を含む、上記項目のいずれかに記載の方法。
（項目３９）
上記可撓性の透明繊維を通して伝送された上記電磁放射線は、第一のキャリア信号と、１つまたは１つより多くの信号周波数を有する第一の変調信号とを含み、該１つまたは１つより多くの信号周波数は、ヒトに見えるスペクトル範囲内の周波数を含む、上記項目のいずれかに記載の方法。
（項目４０）
上記可撓性の透明繊維を通して伝送された上記電磁放射線は、第一のキャリア信号と、１つまたは１つより多くの信号周波数を有する第一の変調信号とを含み、該１つまたは１つより多くの信号周波数は、ヒトに聞こえるスペクトル範囲内の周波数を含む、上記項目のいずれかに記載の方法。
（項目４１）
上記可撓性の透明繊維を通して伝送された上記電磁放射線を、上記誘導された交流に対応させるように動的に制御する工程をさらに包含し、その結果、上記電磁放射線の１つまたは１つより多くの周波数は、該誘導された交流の１つまたは１つより多くの周波数に対応する、上記項目のいずれかに記載の方法。
（項目４２）
上記誘導された交流を、上記可撓性の透明繊維を通して伝送された上記電磁放射線に対応させるように動的に制御する工程をさらに包含し、その結果、該誘導された交流の１つまたは１つより多くの周波数は、該電磁放射線の１つまたは１つより多くの周波数に対応する、上記項目のいずれかに記載の方法。
（項目４３）
上記電磁的効果は電磁場を含む、上記項目のいずれかに記載の方法。
（項目４４）
上記提供される治療は、光線療法を含む、上記項目のいずれかに記載の方法。
（項目４５）
上記提供される治療は、上記被験体の周囲の赤外場と相互作用する、上記項目のいずれかに記載の方法。
（項目４６）
上記提供される治療は、上記被験体のエネルギーの流れと相互作用する、上記項目のいずれかに記載の方法。
（項目４７）
１個または１個より多くのデジタルオーディオファイルを含む情報を得る工程；
該得られた情報を処理し、そして該得られた情報に基づいて、処理された信号を発生させる工程、および
該処理された信号に基づいて音響信号を生成する工程
をさらに包含し、上記交流は、該生成された音響信号に対応するように動的に制御され、その結果、該交流の１つまたは１つより多くの周波数は、該生成された音響信号の１つまたは１つより多くの周波数に対応する、上記項目のいずれかに記載の方法。
（項目４８）
電磁的効果を被験体に提供する方法であって、
システムを該被験体上またはその近傍に配置する工程であって、該システムは、本体を備え、該本体は、第一のランナー、第二のランナー、および該第一のランナーの周囲に螺旋状に巻かれた可撓性の透明繊維を備え、該第一のランナーと該第二のランナーとは、互いに二重螺旋に螺旋状に絡み合わせられている、工程；
該可撓性の透明繊維を通して電磁放射線を伝送する工程であって、その結果、該伝送された電磁放射線の一部は、該可撓性の透明繊維から放出される、工程；
該可撓性の透明繊維からの電磁放射線の放出に応答して、電磁的効果を該被験体上またはその近傍で発生させる工程
を包含する、方法。
（項目４９）
上記発生した電磁的効果を通して被験体に治療を提供する工程をさらに包含する、上記項目のいずれかに記載の方法。
（項目５０）
上記本体は、上記第一のランナーの周囲に螺旋状に巻かれた伝導性ワイヤをさらに備え、上記方法は、
該伝導性ワイヤを通して、上記電磁的効果に寄与する交流を誘導する工程
をさらに包含する、上記項目のいずれかに記載の方法。
（項目５１）
上記本体は、上記第二のランナーの周囲に螺旋状に巻かれた第二の可撓性の透明繊維をさらに備え、上記方法は、
該第二の可撓性の透明繊維を通して電磁放射線を伝送する工程であって、その結果、該電磁放射線の一部は、該第二の可撓性の透明繊維から放出される、工程
をさらに包含し、該第二の可撓性の透明繊維からの該電磁放射線は、該電磁的効果に寄与する、上記項目のいずれかに記載の方法。
（項目５２）
上記電磁的効果は電磁場を含む、上記項目のいずれかに記載の方法。
（項目５３）
上記可撓性の透明繊維を通して伝送された上記電磁放射線は、特定の周波数を有する可視光を含む、上記項目のいずれかに記載の方法。
（項目５４）
上記可撓性の透明繊維を通して伝送された上記電磁放射線は、１個または１個より多くの画像を表す１つまたは１つより多くの信号を含む、上記項目のいずれかに記載の方法。
（項目５５）
上記可撓性の透明繊維を通して伝送された上記電磁放射線は、ビデオ情報を表す１つまたは１つより多くの信号を含む、上記項目のいずれかに記載の方法。
（項目５６）
上記可撓性の透明繊維を通して伝送された上記電磁放射線は、第一のキャリア信号と、１つまたは１つより多くの信号周波数を有する第一の変調信号とを含み、該１つまたは１つより多くの信号周波数は、ヒトに見えるスペクトル範囲内の周波数を含む、上記項目のいずれかに記載の方法。
（項目５７）
上記可撓性の透明繊維を通して伝送された上記電磁放射線は、第一のキャリア信号と、１つまたは１つより多くの信号周波数を有する第一の変調信号とを含み、該１つまたは１つより多くの信号周波数は、ヒトに聞こえるスペクトル範囲内の周波数を含む、上記項目のいずれかに記載の方法。
（項目５８）
上記可撓性の透明繊維を通して伝送された上記電磁放射線を、上記誘導された交流に対応させるように動的に制御する工程をさらに包含し、その結果、上記電磁放射線の１つまたは１つより多くの周波数は、該誘導された交流の１つまたは１つより多くの周波数に対応する、上記項目のいずれかに記載の方法。
（項目５９）
上記誘導された交流を、上記可撓性の透明繊維を通して伝送された上記電磁放射線に対応させるように動的に制御する工程をさらに包含し、その結果、該誘導された交流の１つまたは１つより多くの周波数は、該電磁放射線の１つまたは１つより多くの周波数に対応する、上記項目のいずれかに記載の方法。
（項目６０）
上記提供される治療は、光線療法を含む、上記項目のいずれかに記載の方法。
（項目６１）
上記提供される治療は、上記被験体の周囲の赤外場と相互作用する、上記項目のいずれかに記載の方法。
（項目６２）
上記提供される治療は、上記被験体のエネルギーの流れと相互作用する、上記項目のいずれかに記載の方法。
（項目６３）
１個または１個より多くのデジタルオーディオファイルを含む情報を得る工程；
該得られた情報を処理し、そして該得られた情報に基づいて、処理された信号を発生させる工程、および
該処理された信号に基づいて音響信号を生成する工程
をさらに包含し、上記交流は、該生成された音響信号に対応するように動的に制御され、その結果、該交流の１つまたは１つより多くの周波数は、該生成された音響信号の１つまたは１つより多くの周波数に対応する、上記項目のいずれかに記載の方法。
（項目６４）
上記伝導性ワイヤは、１対の捩られた磁性ワイヤによって形成されている、上記項目のいずれかに記載のシステム。
（項目６５）
上記伝導性ワイヤは、１対の捩られた磁性ワイヤによって形成されている、上記項目のいずれかに記載の方法。
【０００４】
摘要
二重螺旋に類似の基礎構造を有する１個または１個より多くの本体を備える電気システムが、電磁放射線を伝送する１本または１本より多くの可撓性の透明繊維と一緒に使用されて、種々の用途（治療が挙げられる）のために有用な電磁的効果を生成し得る。可撓性の透明繊維は、光ファイバーケーブルであり得る。
【０００５】
要旨
本発明の１つの局面は、１個または１個より多くの本体、１個または１個より多くの電流源、１個または１個より多くの電磁放射線の源、１本または１本より多くの可撓性の透明繊維、および／あるいは１本または１本より多くの伝導性ワイヤを備えるシステムに関する。個々の本体は、絡み合わせられて螺旋状に巻かれた２本のランナーを備え得る。第一のランナーは、第二のランナーに支柱によって連結され得る。個々のランナーは、螺旋形状を有し得る。個々の本体は、環形状に配置され得る。１本または１本より多くの伝導性ワイヤおよび／または可撓性の透明繊維は、少なくとも１本のランナーの周囲に螺旋状に巻かれ得る。１本または１本より多くのランナーは、可撓性の透明繊維を備え得る。１本または１本より多くのランナーおよび／または可撓性の透明繊維は、電磁放射線を伝送および／または放出するように構成され得る。
【０００６】
本開示のこれらおよび他の目的、特徴、ならびに特性と、構造の関連構成要素および部分の組み合わせの動作の方法ならびに機能と、製造の経済性とは、付随の図面を参照して、以下の説明および添付の特許請求の範囲を検討することによって、より明白となり、その図面は、本明細書の一部を形成し、同様の参照番号が、種々の図中の対応する部分を指定する。しかしながら、図面は、例証および説明の目的にすぎず、任意の限定の定義として意図されないことを明示的に理解されたい。本明細書および特許請求の範囲において使用される場合、単数形「ａ」、「ａｎ」、および「ｔｈｅ」は、文脈によって明確に別様に示されない限り、複数の指示対象を含む。
【図面の簡単な説明】
【０００７】
【図１】図１は、支柱によって連結された、絡み合わせられて螺旋状に巻かれた２本のランナーを備える、例示的な本体の側面図を図示する。
【図２】図２は、支柱によって連結された、絡み合わせられて螺旋状に巻かれた２本のランナーを備える、例示的な本体の等角図を図示する。
【図３】図３は、同じ円形軸を共有し、両方のランナーが支柱によって連結されている、絡み合わせられて螺旋状に巻かれた２本のランナーを備える例示的な本体の上面図を図示する。
【図４】図４は、同じ円形軸を共有し、両方のランナーが支柱によって連結されている、絡み合わせられて螺旋状に巻かれた２本のランナーを備える例示的な本体の等角図を図示する。
【図５】図５は、同じ円形軸を共有し、ワイヤガイドを有し、両方のランナーが支柱によって連結されている、絡み合わせられて螺旋状に巻かれた２本のランナーを備える例示的な本体の上面図を図示する。
【図６】図６は、同じ円形軸を共有し、ワイヤガイドを有し、両方のランナーが支柱によって連結されている、絡み合わせられて螺旋状に巻かれた２本のランナーを備える例示的な本体の等角図を図示する。
【図７】図７は、同じ楕円形軸を共有し、両方のランナーが支柱によって連結されている、絡み合わせられて螺旋状に巻かれた２本のランナーを備える例示的な本体を図示する。
【図８】図８は、同じ円形軸を共有し、両方のランナーが支柱によって連結されており、周囲に伝導性ワイヤおよび／または可撓性の透明繊維が螺旋状に巻かれている、絡み合わせられて螺旋状に巻かれた２本のランナーを備える例示的な本体の上面図を図示する。
【図９】図９は、同じ円形軸を共有し、両方のランナーが支柱によって連結されており、そしてワイヤが本体の両方のランナーの周囲に螺旋状に巻かれている、絡み合わせられて螺旋状に巻かれた２本のランナーを備える例示的な本体の上面図を図示する。
【図１０】図１０は、１本または１本より多くの可撓性の透明繊維と本体とを組み合わせる例示的なシステムの上面図を図示する。
【図１１】図１１は、１本または１本より多くの可撓性の透明繊維と本体とを組み合わせる例示的なシステムの上面図を図示する。
【図１２】図１２は、１つ以上の実施形態による、被験体に治療を提供するためのシステムを概略的に図示する。
【図１３】図１３Ａおよび図１３Ｂは、１つ以上の実施形態による、被験体に治療を提供する方法を図示する。
【図１４】図１４Ａおよび図１４Ｂは、１つ以上の実施形態による、ワイヤをランナーの周囲に配線するための配線図を図示する。
【発明を実施するための形態】
【０００８】
詳細な説明
図１は、例示的な本体１５の側面図を図示する。本体１５は、２本または２本より多くの絡み合わせられて螺旋状に巻かれたランナー（ランナー１６およびランナー１７）を備え得る。ランナー１６とランナー１７とは、支柱１８によって連結され得る。本体１５は、本体１５の反対側に位置する、２つの端部（端部２０および端部２１）を備える。ランナー１６および／または１７は、螺旋と類似であるか、または螺旋と実質的に同じである、三次元曲線の形状に配置され得る。螺旋は、その曲線に沿った任意の点における接線が、軸と呼ばれる（固定された）線に対して一定の角度を有するという事実によって特徴付けられ得る。螺旋のピッチは、１回の３６０度の螺旋巻き（すなわち、回転）の幅（例えば、この螺旋の軸に対して平行に測定される）であり得る。絡み合わせられて螺旋状に巻かれたランナーは、同じ軸を共有し得、合同であり得、そして／またはこの軸に沿った並進が異なり得る（例えば、ピッチの半分であり得る）。図１に示される２本のランナーは、同じ軸２２を共有し得、約３回の完全な回転だけ水平に延びる。ランナー１６とランナー１７とは、二重螺旋を形成し得る。従って、本体１５の長さは、軸２２に沿って端部２０から端部２１まで測定される場合、ピッチ２３の長さの約３倍であり得る。螺旋形状は、一定のピッチ、一定の半径（この軸に対して垂直な面内で測定される）、一定のねじれ、一定の曲率、曲率対ねじれの一定の比、および／または直線状の軸を有し得る。図１において、本体１５の半径は、直径２４の半分であり得る。本体１５の形状は、デオキシリボ核酸（ＤＮＡ）の一般的な形状、例えば、二重螺旋と類似であることが留意される。
【０００９】
非限定的な例として、本体１５のさらなる構造および／または特徴は、米国特許第８，６５３，９２５号（発明の名称「Ｄｏｕｂｌｅ  Ｈｅｌｉｘ  Ｃｏｎｄｕｃｔｏｒ」、２０１４年２月１８日発行、これは、その全体が本開示に参考として援用される）に記載されているかもしれない。この特許はまた、本明細書中で「９２５号特許」と称され得る。
【００１０】
図１において、ランナー１６およびランナー１７の断面の形状は、幅が高さより約３倍大きい矩形であり得る。さらに、ランナー１６またはランナー１７の幅は、本体１５のそのランナーのピッチの約１／１３であり得る。その結果、本体１５のランナー１７は、内側表面２５（螺旋形状の軸２２に面する）と外側表面２６（内側表面２５の逆方向に面する）とを有するリボンに類似である。本体１５のランナー１６は、内側表面２７（螺旋形状の軸２２に面する）と外側表面２８（内側表面２７の逆方向に面する）とを有するリボンに類似である。本開示の実施形態は、与えられる例のいずれによっても限定されることを意図されないことに留意のこと。
【００１１】
ランナー１６、ランナー１７および／または支柱１８は、プラスチック、金属（銅、ニッケル、鉄、軟鉄、ニッケル合金が挙げられる）でめっきされたプラスチック、光ファイバー材料、および／または他の材料のうちの１つまたは１つより多くから製造され得る。いくつかの実施形態において、ランナー１６、ランナー１７および支柱１８は、非伝導性材料から製造され得る。ランナー１６、ランナー１７、および／または支柱１８は、異なる材料から製造され得る。
【００１２】
いくつかの実施形態において、ランナー１６、ランナー１７および／または支柱１８は、可撓性である材料を含み得る。いくつかの実施形態において、ランナー１６、ランナー１７および／または支柱１８は、半透明および／または透明である材料を含み得る。いくつかの実施形態において、ランナー１６、ランナー１７および／または支柱１８は、電磁放射線を伝送および／または放出するように構成された光ファイバー材料を含み得る。
【００１３】
ランナー１６、ランナー１７、および／または支柱１８は、一体的な構築物によって製造され得るか、または別々に形成された後に組み立てられ得る。いくつかの実施形態において、ランナー１６、ランナー１７、および／または支柱１８は、磁気を通す材料を含み得る。いくつかの実施形態において、ランナー１６、ランナー１７、および／または支柱１８は、強磁性ではないが伝導性である材料を含み得る。
【００１４】
図２は、支柱１８によって連結された、絡み合わせられて螺旋状に巻かれた２本のランナー（ランナー１６およびランナー１７）を備える例示的な本体１５の等角図を図示する。ここで本体１５は、両方の螺旋状に巻かれたランナーの軸２２が垂直に延びた状態で示されている。
【００１５】
図３は、同じ円形軸４２を共有し、両方のランナーが支柱３８によって連結されている、絡み合わせられて螺旋状に巻かれた２本のランナー（ランナー３６およびランナー３７）を備える例示的な本体３５の上面図を図示する。本体３５の得られる形状は、環と称され得る。本体３５は、本体１５と同じようにかまたは類似に形成され得るが、より多くの回転を含み、この本体を平坦な円の形状に配置し、そして両端（図１の端部２０および端部２１）を一緒に接合することによって、形成される。先の記載は、本体３５と類似であるかまたは実質的に同じである本体の製造（のプロセス）を、いかなる方法でも限定することを意図されない。
【００１６】
図３を参照すると、本体３５の円形軸の直径４４、および円形軸４２全体に沿って完全に延びるために必要とされる、１本のランナーあたりの完全な回転の数は、本体３５の特徴的な数／特性であり得る。例えば、図３に示されるように、本体３５のランナー３６およびランナー３７は、本体３５の円形軸４２の全体に沿って完全に延びるために、円形軸４２の周りで約８回の完全な回転、または他の何回かの回転を必要とし得る。
【００１７】
図３の本体３５の１本または１本より多くの支柱３８は、中心支柱要素３９を備えることに留意のこと。この中心支柱要素は、本体１５の支柱１８にはない。中心支柱要素３９は、本体３５の特定の支柱に関連し得る。
【００１８】
いくつかの実施形態において、図３に図示されるようなランナー３６および３７は、図１および図２のランナー１６および１７が有する１つ以上の特徴を共有し得る。例えば、図３のランナー３６および３７は、半透明および／または透明である材料を含み得る。いくつかの実施形態において、ランナー３６および／または３７は、可撓性材料を含み得る。いくつかの実施形態において、ランナー３６および／または３７は、光ファイバー材料を含み得る。いくつかの実施形態において、ランナー３６および／または３７は、電磁放射線が一方または両方のランナーを通して伝送され得るように構成され得る。
【００１９】
図４は、同じ円形軸を共有し、両方のランナーが支柱３８によって連結されている、絡み合わせられて螺旋状に巻かれた２本のランナー（ランナー３６およびランナー３７）を備える例示的な本体３５の等角図を図示する。図３においてと同様に、図４の本体３５の支柱は、本体１５の支柱１８にはなくてもよい中心支柱要素３９を備え得ることに留意のこと。
【００２０】
図５は、同じ円形軸６２を共有し、そしてワイヤガイド５６を有し、両方のランナーが支柱５９によって連結されている、絡み合わせられて螺旋状に巻かれた２本のランナー（ランナー５７およびランナー５８）を備える例示的な本体５５の上面図を図示する。ランナー５７またはランナー５８の任意の部分が、ワイヤガイド５６を備え得る。ワイヤガイド５６は、ランナー５７またはランナー５８の表面ならびに／あるいは内部に配置された、溝、切欠き、突出物、スロット、および／または他の構造要素を備え得、そしてランナー５７またはランナー５８の表面の少なくとも一部分に沿って、ワイヤまたは可撓性の透明繊維（例えば、光ファイバーケーブル）を案内するように構成され得る。
【００２１】
このようなワイヤ（本文書に含まれる任意の図に列挙される任意のワイヤとして）は、絶縁されても、絶縁されなくても、部分的に絶縁されて部分的に絶縁されなくてもよい。本明細書中で使用される場合、「ワイヤ」は、捩られたワイヤのセット（交換可能に「捩られたワイヤ」と称される）を含み得、２本の捩られたワイヤのセットが挙げられるが、これに限定されない。１インチあたり、および／またはランナーの１回の螺旋回転あたりの、捩られたワイヤのセットの巻きの数は、このシステムの特徴的な数／特性であり得る。いくつかの実施形態において、捩られたワイヤ１インチあたりの捩りの数は、約２、約５、約１０、約２０、約１００、および／または別の適切な捩り数であり得る。いくつかの実施形態において、交流および／または対応する発生する電磁場の周波数特性は、捩られたワイヤの捩りの数に基づき得、比例し得、そして／または他の態様で関連し得る。例えば、１インチあたりの捩りの数が大きいことは、交流ならびに／あるいは対応する発生する電磁的効果および／または電磁場のより高い動作周波数に対応し得る。いくつかの実施形態において、複数の捩られたワイヤ（例えば、第一のランナーの周囲に巻かれた第一の捩られたワイヤ、および第二のランナーの周囲に巻かれた第二の捩られたワイヤ）は、同じ捩り方向および／または異なる捩り方向を有し得る。いくつかの実施形態において、複数のワイヤ（例えば、捩られたワイヤ）は、同じランナーの周囲に巻かれ得る。いくつかの実施形態において、１本のワイヤは、１本または１本より多くの支柱のうちのいくつかまたは全ての周りに巻かれ得る。
【００２２】
いくつかの実施形態において、１本または１本より多くの可撓性の透明繊維（図５には図示しない）が、ランナー５７および／またはランナー５８の周りに、ワイヤガイド５６によって案内され得る。
【００２３】
図６は、同じ円形軸を共有し、ワイヤガイド５６を有し、両方のランナーが支柱５９によって連結されている、絡み合わせられて螺旋状に巻かれた２本のランナー（ランナー５７およびランナー５８）を備える例示的な本体５５の等角図を図示する。
【００２４】
図７は、同じ楕円形軸７８を共有し、両方のランナーが支柱７９によって連結されている、絡み合わせられて螺旋状に巻かれた２本のランナー（ランナー７６およびランナー７７）を備える例示的な本体７５を図示する。同じ軸を共有する２本（または２本より多く）の絡み合わせられて螺旋状に巻かれたランナーを備える本体は、任意の平面形状（円形、楕円形、三角形、正方形、矩形、角度のある形状、多角形、および／または他の平面形状）に配置され得る。代替的に、かつ／または同時に、このような本体は、三次元曲線（すなわち、空間曲線）に配置され得る。図７において、本体７５は、本体１５と類似であるがより多くの回転を有する本体から、この本体を平坦な楕円形状に配置し、そして両端（図１の端部２０および端部２１）を一緒に接合することによって、形成され得る。先の記載は、本体７５と類似であるかまたは実質的に同じである本体の製造（のプロセス）を、いかなる方法でも限定することを意図されない。
【００２５】
いくつかの実施形態において、図７に記載されるようなランナー７６および７７は、図１および図２のランナー１６および１７、ならびに／または図３および図４のランナー３６および３７が有する１つ以上の特徴を共有し得る。例えば、図７のランナー７６および７７は、半透明および／または透明である材料を含み得る。いくつかの実施形態において、ランナー７６および／または７７は、可撓性材料を含み得る。いくつかの実施形態において、ランナー７６および／または７７は、光ファイバー材料を含み得る。いくつかの実施形態において、ランナー７６および／または７７は、電磁放射線が一方または両方のランナーを通して伝送され得るように構成され得る。
【００２６】
図８は、同じ円形軸を共有し、支柱９０によって連結され、そして周囲にワイヤ（ワイヤ８６およびワイヤ８７）が螺旋状に巻かれている、絡み合わせられて螺旋状に巻かれた２本のランナー（ランナー８８およびランナー８９）を備える例示的な本体８５の上面図を図示する。いくつかの実施形態において、ワイヤ８６および／またはワイヤ８７は、伝導性ワイヤであり得る。いくつかの実施形態において、ワイヤ８６および／またはワイヤ８７は、可撓性の透明繊維（例えば、光ファイバーケーブル）であり得る。ワイヤ８６および／またはワイヤ８７（本文書に含まれる任意の図に列挙される任意のワイヤとして）は、絶縁されても、絶縁されなくても、部分的に絶縁されて部分的に絶縁されなくてもよい。ワイヤ８６および／またはワイヤ８７（本文書に含まれる任意の図に列挙される任意のワイヤとして）は、捩られたワイヤであり得る。本体８５のランナー８８は、ワイヤ８７が周囲に螺旋状に巻かれるコアを形成し得、本体８５のランナー８９は、ワイヤ８６が周囲に螺旋状に巻かれるコアを形成し得る。従って、ワイヤ８６は、ランナー８９と一致する軸を有する螺旋形状に配置され得、ワイヤ８７は、ランナー８８と一致する軸を有する螺旋形状に配置され得る。
【００２７】
いくつかの実施形態において、図８に図示されるようなランナー８８および８９は、図１および図２のランナー１６および１７、ならびに／または図３および図４のランナー３６および３７、ならびに／または図７のランナー７６および７７が有する１つ以上の特徴を共有し得る。例えば、図８のランナー８８および８９は、半透明および／または透明である材料を含み得る。いくつかの実施形態において、ランナー８８および／または８９は、可撓性材料を含み得る。いくつかの実施形態において、ランナー８８および／または８９は、光ファイバー材料を含み得る。いくつかの実施形態において、ランナー８８および／または８９は、電磁放射線が一方または両方のランナーを通して伝送され得るように構成され得る。
【００２８】
ワイヤ８６は、２本のリード線（リード線８６ａおよびリード線８６ｂ）を備え得る。ワイヤ８７は、２本のリード線（リード線８７ａおよびリード線８７ｂ）を備え得る。ワイヤ８６およびワイヤ８７は、伝導性であり得る。本体８５と類似であるかまたは同じである、１個または１個より多くの本体が、ワイヤ８６およびワイヤ８７のうちの一方または両方との電気的連結が（例えば、ワイヤ８６のリード線８６ａおよび８６ｂとの連結を介して、ならびにワイヤ８７のリード線８７ａおよび８７ｂとの連結を通して）確立され得るように配置された１個または１個より多くの電源および／または電流源を有する電気システムにおいて使用され得る。ワイヤ８６に供給される電流は、直流であっても交流であってもよい。ワイヤ８７に供給される電流は、直流であっても交流であってもよい。ワイヤ８６およびワイヤ８７に供給される電流は、同じ方向に流れても逆方向に流れてもよい。交流については、０Ｈｚから４０ＧＨｚの範囲の動作周波数が想定される。ワイヤ８６およびワイヤ８７についての動作周波数は、同じであっても異なっていてもよい。ワイヤ８６およびワイヤ８７に供給される電流の他の電気的動作特徴（例えば、位相、振幅、電力レベル、および／または他の作動特徴）は、同じであっても異なっていてもよい。この電気システムは、本体８５と類似であるかまたは同じである１個または１個より多くの本体の１本または１本より多くのワイヤに電力が供給される場合にもたらされる電磁場を利用するために使用され得る。
【００２９】
図９は、同じ円形軸を共有し、両方のランナーが支柱によって連結されており、そして本体９５の両方のランナーの周囲に螺旋状に巻かれたワイヤ９６を有する、絡み合わせられて螺旋状に巻かれた２本のランナー（ランナー９７およびランナー９８）を備える例示的な本体９５の上面図を図示する。ワイヤ９６は、２本のリード線（リード線９６ａおよびリード線９６ｂ）を備え得る。ワイヤ９６を有する本体９５の得られる形状は、螺旋体の形状と称され得る。本体９５と類似であるかまたは同じである１個または１個より多くの本体は、ワイヤ９６との電気的連結が（例えば、リード線９６ａおよび９６ｂを介して）確立され得るように配置された電源および／または電流源を有する電気システムにおいて使用され得る。ワイヤ９６に供給される電力は、直流を含んでも交流を含んでもよい。ワイヤ９６を通って流れる交流の動作周波数は、０Ｈｚから４０ＧＨｚの範囲であることが想定される。この電気システムは、電力が供給される場合にもたらされる電磁的効果および／または電磁場を利用するために使用され得る。
【００３０】
いくつかの実施形態において、図９に図示されるようなランナー９７および９８は、図１および図２のランナー１６および１７、ならびに／または図３および図４のランナー３６および３７、ならびに／または図７のランナー７６および７７、ならびに／または図８のランナー８８および８９が有する１つ以上の特徴を共有し得る。例えば、図９のランナー９７および９８は、半透明および／または透明である材料を含み得る。いくつかの実施形態において、ランナー９７および／または９８は、可撓性材料を含み得る。いくつかの実施形態において、ランナー９７および／または９８は、光ファイバー材料を含み得る。いくつかの実施形態において、ランナー９７および／または９８は、電磁放射線が一方または両方のランナーを通して伝送され得るように構成され得る。
【００３１】
図１０は、本体１０１０を１個または１個より多くの電磁放射線の源（例えば、光源）、および／あるいは他の構成要素と組み合わせる、例示的なシステム１０００の上面図を図示する。本体１０１０は、図３に図示される様式と類似の様式で同じ円形軸を共有する、絡み合わせられて螺旋状に巻かれた２本のランナー（ランナー１０５およびランナー１０７）を備える。図１０のランナー１０５および１０７は、可撓性であり透明である材料を含み得、その材料は、電磁放射線を伝送および／または放出するように構成される。いくつかの実施形態において、ランナー１０５および／または１０７は、可撓性材料を含み得る。いくつかの実施形態において、ランナー１０５および／または１０７は、光ファイバー材料を含み得る。いくつかの実施形態において、ランナー１０５および／または１０７は、電磁放射線が一方または両方のランナーを通して伝送され得るように構成され得る。
【００３２】
光源１００１は、ランナー１０５に動作可能に連結され得る。光源１００２は、ランナー１０７に動作可能に連結され得る。いくつかの実施形態において、光源１００１および光源１００２のうちの１個または１個より多くは、ランナー１０５および／またはランナー１０７を通して、例えば、ランナー１０５および／またはランナー１０７に含まれそして／または埋め込まれた可撓性の透明繊維を通して、電磁放射線を伝送するように構成され得る。いくつかの実施形態において、光源１００１および光源１００２のうちの１個または１個より多くは、ランナー１０５および／またはランナー１０７を通して特定の方向に電磁放射線を伝送するように構成され得る。いくつかの実施形態において、電磁放射線は、ランナー１０５を通して、ランナー１０７と比較して異なる方向に伝送され得る。いくつかの実施形態において、１個の電磁放射線の源が、ランナー１０５およびランナー１０７を通して電磁放射線を伝送するように構成され得る。
【００３３】
光源１００１および／または光源１００２によって伝送された電磁放射線は、電磁放射線の放出を引き起こし得る。例えば、ランナー１０５を通して伝送された電磁放射線は、ランナー１０５の表面を通して、および／またはランナー１０５に含まれる可撓性の透明材料（１本または１本より多くの光ファイバーケーブルが挙げられるが、これに限定されない）を通して、電磁放射線を放出し得る。特定の波長を使用することによって、放出される電磁放射線は、特定の生物学的効果を生成し得る。この生物物理学的原理は、フォト−バイオ−モジュレーションと称され得る。いくつかの実施形態において、光源１００１および／または光源１００２によって放出された電磁放射線は、被験体のエネルギーの流れと相互作用し得る。
【００３４】
１つまたは１つより多くの発生した電磁的効果（例えば、本開示に記載されるように発生した電磁的効果および／または電磁場）、放出された電磁放射線ならびに／あるいは（本開示に記載されるように）近接することにより生成される生物学的効果の任意の組み合わせが、被験体に治療を提供するために使用され得る。
【００３５】
いくつかの実施形態において、本体１０１０の１本または両方のランナーは、１本または１本より多くの伝導性ワイヤ（図１０には示されない）を使用して、本開示の他の箇所の記載と類似の様式で、螺旋状に巻かれ得る。例えば、本体１０１０の１本または両方のランナーは、１本または１本より多くの伝導性ワイヤを使用して、１または１より多くの交流が１本または１本より多くの伝導性ワイヤに提供されることに応答して、電磁的効果（電磁場が挙げられるがこれに限定されない）が発生し得るように、螺旋状に巻かれ得る。
【００３６】
図１１は、本体１１１０を、１個または１個より多くの電磁放射線の源（例えば、光源）、１本または１本より多くの可撓性の透明繊維（例えば、光ファイバーケーブル）および／あるいは他の構成要素と組み合わせる、例示的なシステム１１００の上面図を図示する。本体１１１０は、図８に記載される様式と類似の様式で同じ円形軸を共有する、絡み合わせられて螺旋状に巻かれた２本のランナー（ランナー１１０６およびランナー１１０８）を備える。本体１１１０は、可撓性の透明繊維１１０５および／または１１０７を備え得る。可撓性の透明繊維１１０５は、ランナー１１０６の周囲に螺旋状に巻かれ得る。可撓性の透明繊維１１０７は、ランナー１１０８の周囲に螺旋状に巻かれ得る。図１１のランナー１１０６および１１０８、ならびに／または可撓性の透明繊維１１０５および１１０７は、半透明および／または透明である材料を含み得る。いくつかの実施形態において、ランナー１１０６および１１０８、ならびに／または可撓性の透明繊維１１０５および１１０７は、可撓性材料を含み得る。いくつかの実施形態において、ランナー１１０６および１１０８、ならびに／または可撓性の透明繊維１１０５および１１０７は、光ファイバー材料を含み得る。いくつかの実施形態において、ランナー１１０６および１１０８、ならびに／または可撓性の透明繊維１１０５および１１０７は、電磁放射線が、一方または両方のランナー、および／あるいは一方または両方の可撓性の透明繊維を通して伝送され得るように、構成され得る。
【００３７】
光源１００１は、可撓性の透明繊維１１０５に動作可能に連結され得る。光源１００２は、可撓性の透明繊維１１０７に動作可能に連結され得る。いくつかの実施形態において、光源１００１および光源１００２のうちの１個または１個より多くは、可撓性の透明繊維１１０５および／または可撓性の透明繊維１１０７を通して電磁放射線を伝送するように構成され得る。いくつかの実施形態において、光源１００１および光源１００２のうちの１個または１個より多くは、可撓性の透明繊維１１０５および／または可撓性の透明繊維１１０７を通して電磁放射線を特定の方向に伝送するように構成され得る。いくつかの実施形態において、電磁放射線は、可撓性の透明繊維１１０５を通して、可撓性の透明繊維１１０７と比較して異なる方向に伝送され得る。いくつかの実施形態において、１個の光源が、可撓性の透明繊維１１０５および可撓性の透明繊維１１０７を通して電磁放射線を伝送するように構成され得る。
【００３８】
いくつかの実施形態において、本体１１１０の一方または両方のランナーおよび／あるいは本体１１１０の一方または両方のランナーは、１本または１本より多くの伝導性ワイヤ（図示せず）を使用して、本開示の他の箇所の記載と類似の様式で螺旋状に巻かれ得る。例えば、本体１０１０の一方または両方のランナーおよび／あるいは本体１１１０の一方または両方の可撓性の透明繊維は、１本または１本より多くの伝導性ワイヤを使用して、１または１より多くの交流が１本または１本より多くの伝導性ワイヤに提供されることに応答して、電磁的効果（電磁場が挙げられるがこれに限定されない）が発生し得るように、螺旋状に巻かれ得る。
【００３９】
図１〜図１１に示される本体および／またはシステムの任意のものが、電気システムにおいて使用され得る。伝導性ワイヤが、１本または１本より多くのランナー、１本または１本より多くの支柱、および／あるいはこれらの任意の組み合わせの周囲に螺旋状に巻かれて、電力がこれらの伝導性ワイヤのうちの１本または１本より多くに供給されるときに特定の電磁的性質を有する、電気システムを製造し得る。
【００４０】
本明細書中に記載される電気システムのうちの任意のものの用途としては、植物および／または他の生物の成長および／または成長速度に影響を与えること、医療用途、治療用途、エネルギー産生、エネルギー変換、エネルギー転換、アデノシン三リン酸（ＡＴＰ）産生、ＡＴＰ転移、ＡＴＰプロセシング、ならびに／あるいは他の用途が挙げられ得る。
【００４１】
いくつかの実施形態において、図１〜図１１に示される本体（および／またはその複数の例）のうちのいずれかを備える電気システムは、電気回路の構成要素として使用され得、（チューナブル）誘導器、（テスラ）コイル、変圧器、変換器、トランジスタ、抵抗器、ソレノイド、電気モータ用の固定子、電磁石、電磁パルス発生機、電磁アクチュエータ、エネルギー変換デバイス、位置サーボ機構、発電機、ステップ電動機、直流電動機、（非接触）リニアドライブ、アキシャルフラックスデバイス（ａｘｉａｌ  ｆｌｕｘ  ｄｅｖｉｃｅ）、透磁率の測定デバイス、双極マグネット、ならびに電子および／または粒子の軌跡を変更するデバイスが挙げられる、１つ以上の機能および／または用途を実施し得る。
【００４２】
説明として、図１２は、本体１１１０（図１１に示される）と類似の本体を備える電気システム１１５を図示する。いくつかの実施において、本体１１１０は、図１１に示されるランナー１１０６およびランナー１１０８と類似または同じであり得る、第一のランナーおよび第二のランナーを備え得る。いくつかの実施において、本体１１１０は、図１０に示されるランナー１０５およびランナー１０５と類似または同じであり得る、第一のランナーおよび第二のランナーを備え得る。いくつかの実施において、本体１１１０は、図１１に示される透明繊維１１０５および透明繊維１１０７と類似または同じであり得る、第一の可撓性の透明繊維および第二の可撓性の透明繊維を備え得る。いくつかの実施において、本体１１１０のランナーは、図１０に示されるランナー１０５および／または１０７と類似または同じであり得る、可撓性であり透明であり、電磁放射線を伝送および／または放出するように構成された材料を含み得る。
【００４３】
図１２を参照すると、いくつかの実施形態において、本体１１１０は、環形状に配置され得る。伝導性ワイヤは、図１２に図示されるランナーの周囲に巻かれ得る。電気システム１１５は、ユーザインターフェース１２０、１個もしくは１個より多くの物理プロセッサ１１０、１個もしくは１個より多くのセンサ１４２、電子記憶装置１３０、１個もしくは１個より多くの電流源１２、入力構成要素１１１、再生構成要素１１２、処理構成要素１１３、および／または他の構成要素のうちの１つまたは１つより多くをさらに備え得る。
【００４４】
センサ（単数または複数）１４２は、情報を運ぶ出力信号を発生させるように構成され得る。この情報は、電気生理学的情報および／または他の情報を含み得る。いくつかの実施形態において、１個または１個より多くのセンサ１４２は、オーディオセンサ、マイクロホン、聴診器、圧力センサ、モーションセンサ、近接センサ、電磁センサ、電極、温度センサ、電流センサ、光センサ、電気光学センサ、および／もしくは他のセンサまたはこれらの組み合わせのうちの１つまたは１つより多くを含み得る。いくつかの実施形態において、１個または１個より多くのプロセッサ１１０は、情報処理能力を提供するように、そして／またはコンピュータプログラムの構成要素（入力構成要素１１１、再生構成要素１１２、処理構成要素１１３、および／もしくは他の構成要素が挙げられるが、これらに限定されない）を実行するように、構成され得る。非限定的な例として、センサ１４２、プロセッサ１１０、ユーザインターフェース１２０、電子記憶装置１３０、入力構成要素１１１、再生構成要素１１２、および／または処理構成要素１１３のさらなる構造および／または特徴は、米国特許出願第１４／１９４，４１２号（発明の名称「Ｈｅａｌｔｈ  Ａｐｐｌｉｃａｔｉｏｎｓ  ｆｏｒ  Ｕｓｉｎｇ  Ｂｉｏ−Ｆｅｅｄｂａｃｋ  ｔｏ  Ｃｏｎｔｒｏｌ  ａｎ  Ｅｌｅｃｔｒｏｍａｇｎｅｔｉｃ  Ｆｉｅｌｄ」、２０１４年２月２８日出願、これは、その全体が本開示に参考として援用される）に記載されているかもしれない。この出願はまた、本明細書中で「４１２号出願」と称され得る。
【００４５】
１個または１個より多くの電流源１２は、電気リード線（本体１１１０のランナーおよび／または可撓性の透明繊維の周囲に巻かれた１本または１本より多くの伝導性ワイヤの電気リード線が挙げられるが、これらに限定されない）を流れる１または１より多くの電流を誘導するように構成され得る。いくつかの実施形態において、この１または１より多くの電流は、１または１より多くの交流を含み得る。いくつかの実施形態において、１または１より多くの誘導電流は、１または１より多くの、センサにより発生させられる出力信号に対応し得る。いくつかの実施形態において、この１または１より多くの誘導電流は、システム１１５の変換器および／または１個もしくは１個より多くの他の構成要素によって発生させられた、１つまたは１つより多くの信号に対応し得る。
【００４６】
図１２を参照すると、いくつかの実施形態において、本体１１１０のランナーの周囲に巻かれた伝導性ワイヤに供給される電流は、１つまたは１つより多くの電気的特徴（周波数、振幅、電力レベル、および／または他の電気的動作特徴が挙げられるが、これらに限定されない）に関して、同じまたは類似であり得る。いくつかの実施形態において、本体１１１０のランナーの周囲に巻かれた伝導性ワイヤに供給される電流の１つまたは１つより多くの電気的特徴は、異なり得る。
【００４７】
いくつかの実施形態において、本体１１１０に供給される交流は、キャリア信号および変調信号を含み得る。いくつかの実施形態において、この交流のために使用されるキャリア信号は、無線周波数信号であり得る。本明細書中で使用される場合、無線周波数とは、約３０ｋＨｚから約３０ＧＨｚの周波数をいい得る。いくつかの実施形態において、この交流のための変調信号は、振幅変調、周波数変調、位相変調、デジタル変調、および／または他の型の変調のうちの１つまたは１つより多くによって、変調され得る。
【００４８】
いくつかの実施形態において、この交流に含まれる１つまたは１つより多くの周波数は、周波数発生機および／または器具（楽器）によって発生させられた、音、音色、または和音のオーディオ録音に基づき得る。例えば、第一の周波数は、中央ハ音の上のイ音（Ａ４とも称され、これは使用されるチューニングシステムに依存して、約４３２Ｈｚの周波数を有する音を含み得る）を弾くピアノの音に基づき得る。例えば、第二の周波数は、Ａ４と協和音を作る音程の音（例えば、Ｅ５であり、これは、約６４８Ｈｚの周波数を有する音を含み得る）を弾く、同じ楽器（例えば、ピアノ）の音に基づき得る。このチューニングは、ピタゴラス音律と称され得る。数学的に完璧なチューニングは、３：２の比を有する音を組み合わせ得る。異なる型のチューニング（またはチューニングシステム）（平均律チューニング（ｅｑｕａｌ  ｔｅｍｐｅｒｅｄ  ｔｕｎｉｎｇ）が挙げられるが、これに限定されない）が使用され得、そして本開示の範囲内であるとみなされる。
【００４９】
プロセッサ１１０は、デジタルプロセッサ、アナログプロセッサ、情報を処理するように設計されたデジタル回路、中央処理装置、画像処理装置、情報を処理するように設計されたアナログ回路、および／または情報を電子的に処理するための他の機構のうちの１つまたは１つより多くを含み得る。プロセッサ１１０は、図１２において、１個の実体として図示されているが、これは説明の目的のみである。いくつかの実施形態において、プロセッサ１１０は、複数の処理装置を含み得る。
【００５０】
構成要素１１１〜１１３は、図１２において、１個の処理装置内に一緒に位置するように図示されているが、プロセッサ１１０が複数の処理装置を含む実施形態において、構成要素１１１〜１１３のうちの１つまたは１つより多くは、他の構成要素から遠隔に位置し得ることが理解されるべきである。本明細書中に記載される異なる構成要素１１１〜１１３によって提供される機能の説明は、説明の目的であり、限定することを意図されない。なぜなら、構成要素１１１〜１１３のいずれもが、記載されるより多い機能または少ない機能を提供し得るからである。例えば、構成要素１１１〜１１３のうちの１つまたは１つより多くは、除去され得、そしてその機能のうちのいくつかまたは全ては、構成要素１１１〜１１３のうちの他のものによって、組み込まれ得、共有され、統合され、そして／または他の態様で提供され得る。プロセッサ１１０は、構成要素１１１〜１１３のうちの１つの下に属する機能のうちのいくつかまたは全てを実施し得る、１つまたは１つより多くのさらなる構成要素を実行するように構成され得ることに留意のこと。
【００５１】
入力構成要素１１１は、情報を、例えば１個または１個より多くのデジタルオーディオファイルから、あるいは代替的に、かつ／または同時に、センサが発生させる出力信号に基づいて、得るように構成され得る。いくつかの実施形態において、この情報は、記憶装置（例えば、電子記憶装置）から得られ得る。記憶装置から得られた情報は、任意の形式（ＭＰ３、ＷＭＡ、ＷＡＶ、ＡＩＦＦ、および／または他のオーディオ形式が挙げられるが、これらに限定されない）の電子オーディオファイルを含み得る。いくつかの実施形態において、情報は、音源（周波数発生機、蓄音機、ＣＤプレイヤー、ＤＶＤプレイヤー、ＡＭラジオ、ＦＭラジオ、および／または他の音源が挙げられる）から得られ得る。
【００５２】
処理構成要素１１３は、入力構成要素１１１からの得られた情報を処理するように構成され得る。いくつかの実施形態において、処理構成要素１１３は、入力構成要素１１１からの得られた情報に基づいて、処理された信号を発生させるように構成され得る。例えば、処理モジュール１１３は、入力モジュール１１１からの情報または信号を変換し、フィルタリングし、変更し、そして／または他の態様で転換して、処理された信号を発生させ得る。
【００５３】
再生構成要素１１２は、音響信号を、入力構成要素１１１からの得られた情報および／または処理構成要素１１３からの処理された信号のうちの１つまたは１つより多くに基づいて、生成するように構成され得る。再生構成要素１１２によって生成された音響信号は、本体１１１０の１本または１本より多くのランナーの周囲に巻かれた１本または１本より多くの伝導性ワイヤのリード線に電気的に連結され得、その結果、その誘導電流は、この音響信号に対応し、そして／またはこの音響信号に基づく。代替的に、かつ／または同時に、この誘導電流は、再生構成要素１１２によって生成された音響信号によって制御され得、そして／またはこの音響信号に基づき得る。いくつかの実施形態において、再生モジュール１１２によって生成された音響信号は、１本または１本より多くの伝導性ワイヤのリード線に電気的に連結される前に、増幅器によって増幅され得る。いくつかの好ましい実施形態において、この増幅器は、１００Ｗから４００Ｗの範囲の音響増幅器であり得る。他の型の音響増幅器および／または異なる電力範囲を有する音響増幅器もまた、想定される。
【００５４】
図１４Ａは、本開示の他の箇所に記載されるような、２本または２本より多くの絡み合わせられて螺旋状に巻かれたランナーを有する本体の１本または１本より多くのランナーの周囲に、捩られたワイヤ１４２１および／または捩られたワイヤ１４２２を配線するための配線図１４１１を図示する。いくつかの実施形態において、捩られたワイヤ１４２１は、第一のランナー（例えば、図８に示されるランナー８８と同じかまたは類似）の周囲に巻かれ得る。１つまたは１つより多くの信号が、捩られたワイヤ１４２１に、４本のリード線（図１４Ａにおいて円で囲まれた正記号または負記号により示される）を通して提供され得る。捩られたワイヤ１４２１に提供される信号は、周波数発生機、器具（楽器）、および／または別の音源によって発生させられた、音、音色、または和音のオーディオ録音に基づき得る。非限定的な例として、この信号は、入力構成要素（例えば、図１２に示される入力構成要素１１１と同じかもしくは類似）によって得られた情報、処理構成要素（例えば、図１２に示される処理構成要素１１３と同じかもしくは類似）によって発生させられた処理された信号、再生構成要素（例えば、図１２に示される再生構成要素１１２と同じかもしくは類似）によって生成された音響信号、および／または音響増幅器１４０５からの増幅された信号と類似であり得るか、またはこれらに基づき得る。いくつかの実施形態において、音響増幅器１４０５は、複数のオーディオチャネル（例えば、図１４Ａにおいて標識「ａ」および「ｂ」により表されるチャネル「ａ」およびチャネル「ｂ」）を支持し得る。音響増幅器１４０５のチャネル「ａ」の信号は、「Ｆ１」の標識を付けられる。いくつかの実施形態において、信号Ｆ１は、特定の周波数を実質的に含み得、そして／または特定の周波数に基づき得る。図１４Ａに示されるように、信号Ｆ１の正の側は、捩られたワイヤ１４２１の４本のリード線のうちの２本に電気的かつ／または動作可能に接続され得、ここでこれらの２本の選択されるリード線は、捩られたワイヤ１４２１の両端にある。信号Ｆ１の負の側は、捩られたワイヤ１４２１の４本のリード線のうちの残りの２本に電気的かつ／または動作可能に接続され得、ここでこれらのリード線は、捩られたワイヤ１４２１の両端にあり得る。
【００５５】
いくつかの実施形態において、配線図１４１１は、第二の捩られたワイヤ１４２２を含み得る。いくつかの実施形態において、捩られたワイヤ１４２２は、第二のランナー（例えば、図８に示されるランナー８９と同じかまたは類似）の周囲に巻かれ得る。１つまたは１つより多くの信号が、捩られたワイヤ１４２２に、４本のリード線（図１４Ａにおいて円で囲まれた正記号または負記号により示される）を通して提供され得る。捩られたワイヤ１４２２に提供される信号は、いくつかの実施形態において、捩られたワイヤ１４２１に提供される信号（例えば、Ｆ１信号）と同じであり得る。いくつかの実施形態において、捩られたワイヤ１４２２に提供される信号は、音響増幅器１４０５のチャネル「ｂ」によって提供され得る。いくつかの実施形態において、捩られたワイヤ１４２２に提供される信号は、音響増幅器１４１０の１個または１個より多くのチャネルにより提供され得る。音響増幅器１４１０の信号は、「Ｆ２」の標識を付けられる。いくつかの実施形態において、信号Ｆ２は、特定の周波数を実質的に含み得、そして／または特定の周波数に基づき得る。この特定の周波数は、信号Ｆ１について使用される周波数と異なる周波数であり得る。例えば、信号Ｆ１は、２５０Ｈｚの周波数に基づき得、そして信号Ｆ２は、信号Ｆ１の周波数の４倍の周波数（例えば、１０００Ｈｚ）に基づき得る。同様に、信号Ｆ１およびＦ２は、非限定的な例として、それぞれ２１６Ｈｚおよび８６４Ｈｚであり得る。図１４Ａに示されるように、信号Ｆ２の正の側は、捩られたワイヤ１４２２の両端にある、捩られたワイヤ１４２２の２本の正のリード線に電気的かつ／または動作可能に接続され得る。信号Ｆ２の負の側は、捩られたワイヤ１４２２の両端にある、捩られたワイヤ１４２２の２本の負のリード線に電気的かつ／または動作可能に接続され得る。
【００５６】
図１４Ｂは、本開示の他の箇所に記載されるような、絡み合わせられて螺旋状に巻かれた２本のランナーを有する本体の２本のランナーの周囲に、捩られたワイヤ１４３１および捩られたワイヤ１４３２を配線するための配線図１４１２を図示する。いくつかの実施形態において、捩られたワイヤ１４３１は、第一のランナー（例えば、図８に示されるランナー８８と同じかまたは類似）の周囲に巻かれ得る。いくつかの実施形態において、捩られたワイヤ１４３２は、第二のランナー（例えば、図８に示されるランナー８９と同じかまたは類似）の周囲に巻かれ得る。１つまたは１つより多くの信号は、捩られたワイヤ１４３１に、４本のリード線を通して提供され得、そして捩られたワイヤ１４３２に、４本のリード線を通して提供され得る（図１４Ｂにおいて円で囲まれた正記号または負記号により示される）。いくつかの実施形態において、捩られたワイヤ１４３１および１４３２に提供される信号は、複数のオーディオチャネル（例えば、図１４Ｂにおいて標識「ａ」および「ｂ」により表されるようなチャネル「ａ」およびチャネル「ｂ」）を支持する音響増幅器１４１５によって提供され得る。音響増幅器１４１５のチャネル「ａ」の信号は、「Ｆ１」の標識を付けられる。音響増幅器１４１５のチャネル「ｂ」の信号は、「Ｆ２」の標識を付けられる。図１４Ｂに示されるように、信号Ｆ１の正の側は、捩られたワイヤ１４３１および１４３２の８本のリード線のうちの２本に電気的かつ／または動作可能に接続され得、ここでこれらの２本の選択されるリード線は、両端にある。信号Ｆ１の負の側は、捩られたワイヤ１４３１および１４３２の他の２本のリード線に電気的かつ／または動作可能に接続され得、これらは、捩られたワイヤ１４２１の両端にあり得る。図１４Ｂに示されるように、信号Ｆ２の正の側は、捩られたワイヤ１４３１および１４３２の８本のリード線のうちの２本に電気的かつ／または動作可能に接続され得、ここでこれらの２本の選択されるリード線は、両端にある。信号Ｆ２の負の側は、捩られたワイヤ１４３１および１４３２の他の２本のリード線に電気的かつ／または動作可能に接続され得、これらは、捩られたワイヤ１４２１の両端にあり得る。配線図１４１２を使用するいくつかの実施形態において、信号Ｆ１は、２５０Ｈｚの周波数に基づき得、そして信号Ｆ２は、信号Ｆ１の周波数の４倍の周波数（例えば、１０００Ｈｚ）に基づき得る。同様に、信号Ｆ１およびＦ２は、非限定的な例として、それぞれ２１６Ｈｚおよび８６４Ｈｚであり得る。
【００５７】
いくつかの実施形態において、配線図１４１１および／または配線図１４１２に示されるように、絡み合わせられて螺旋状に巻かれた２本のランナーの周囲の２本の捩られたワイヤの配線は、２個、３個、またはより多くの本体が互いに近接して配置されている電気システムを配線するための基礎として使用され得る。このような電気システムは、図１０に示されるシステム１０００、または図１１に示されるシステム１１００と、同じかまたは類似であり得る。例えば、それぞれが絡み合わせられて螺旋状に巻かれた２本のランナーを備える２個の本体を使用する電気システムにおいて、その４本のランナーは、合計１６本のリード線を有する４本の捩られたワイヤで巻かれ得る。これらのリード線は、１個、２個、および／もしくは４個の音響増幅器、ならびに／またはそのチャネル（これらは、音響増幅器１４０５、音響増幅器１４１０、および／または音響増幅器１４１５（例えば、チャネル「ａ」および「ｂ」を使用する）と同じかまたは類似である）に電気的かつ／または動作可能に接続されるために使用され得る。
【００５８】
図１２のシステム１１５の電子記憶装置１３０は、情報を電子的に格納する電子記憶媒体を備える。電子記憶装置１３０の電子記憶媒体は、システム１１５と一体的に提供される（すなわち、実質的にリムーバブルでない）システム記憶装置、および／または例えば、ポート（例えば、ＵＳＢポート、ファイアワイヤポートなど）もしくはドライブ（例えば、ディスクドライブなど）を介してシステム１１５に接続可能であるリムーバブル記憶装置のうちの一方または両方を含み得る。電子記憶装置１３０は、光読み取り可能記憶媒体（例えば、光ディスクなど）、磁気読み取り可能記憶媒体（例えば、磁気テープ、磁気ハードドライブ、フロッピー（登録商標）ドライブなど）、電荷ベースの記憶媒体（例えば、ＥＰＲＯＭ、ＥＥＰＲＯＭ、ＲＡＭなど）、ソリッドステート記憶媒体（例えば、フラッシュドライブなど）、および／または他の電子読み取り可能記憶媒体のうちの１つまたは１つより多くを含み得る。電子記憶装置１３０は、ソフトウェアアルゴリズム、プロセッサ１１０により決定される情報、ユーザインターフェース１２０を介して受信される情報、および／またはシステム１１５が適切に機能することを可能にする他の情報を格納し得る。例えば、電子記憶装置１３０は、音声情報および／または電子オーディオファイル（本明細書中の他の箇所で議論されるような）、ならびに／あるいは他の情報を格納し得る。電子記憶装置１３０は、システム１１５内の別の構成要素であり得るか、または電子記憶装置１３０は、システム１１５の１つもしくは１つより多くの他の構成要素（例えば、プロセッサ１１０）と一体的に提供され得る。
【００５９】
図１２のシステム１１５のユーザインターフェース１２０は、システム１１５とユーザ（例えば、ユーザ１０８、被験体１０６、治療奉仕者、治療決定者など）との間にインターフェースを提供するように構成される。このインターフェースを介して、ユーザはシステム１１５に情報を提供し得、そしてシステム１１５から情報を受信し得る。このことは、データ、結果、および／または命令ならびに他の任意の通信可能な項目（「情報」と総称される）が、ユーザとシステム１１５との間で通信されることを可能にする。ユーザ１０８に運ばれ得る情報の例は、再生モジュール１１２によって生成される音響信号の音量および／または強度の指標である。ユーザインターフェース１２０に含まれるのに適切なインターフェースデバイスの例としては、キーパッド、ボタン、スイッチ、キーボード、ノブ、レバー、表示スクリーン、タッチスクリーン、スピーカー、マイクロホン、表示灯、可聴警告音、およびプリンターが挙げられる。情報は、ユーザ１０８または被験体１０６に、ユーザインターフェース１２０によって、聴覚信号、視覚信号、触覚信号、および／または他の感覚信号の形態で提供され得る。
【００６０】
他の通信技術（固定配線または無線のいずれか）もまた、本明細書中においてユーザインターフェース１２０として想定されることが理解されるべきである。例えば、１つの実施形態において、ユーザインターフェース１２０は、電子記憶装置１３０によって提供されるリムーバブル記憶インターフェースと一体化され得る。この例において、情報は、システム１１５にリムーバブル記憶装置（例えば、スマートカード、フラッシュドライブ、リムーバブルディスクなど）からロードされ、このことは、ユーザ（単数または複数）がシステム１１５をカスタマイズすることを可能にする。システム１１５と一緒にユーザインターフェース１２０として使用するために適合された他の例示的な入力デバイスおよび技術としては、ＲＳ−２３２ポート、ＲＦリンク、ＩＲリンク、モデム（電話、ケーブル、イーサネット（登録商標）、またはインターネットなど）が挙げられるが、これらに限定されない。要約すれば、システム１１５と情報を通信するための任意の技術が、ユーザインターフェース１２０として想定される。
【００６１】
図１３Ａおよび図１３Ｂは、治療および／または電磁的効果を被験体に提供する方法１３００および１４００を図示する。以下に提示される方法１３００および１４００の動作は、例証的であることを意図される。特定の実施形態において、方法１３００および１４００は、記載されない１つまたは１つより多くのさらなる動作を伴って、そして／あるいは議論される動作のうちの１つまたは１つより多くを伴わずに、達成され得る。さらに、方法１３００および１４００の動作が図１３Ａおよび図１３Ｂに図示されて以下に記載される順序は、限定であることを意図されない。
【００６２】
特定の実施形態において、方法１３００および１４００は、１つまたは１つより多くの処理デバイス（例えば、デジタルプロセッサ、アナログプロセッサ、情報を処理するように設計されたデジタル回路、情報を処理するように設計されたアナログ回路、および／または情報を電子的に処理するための他の機構）で実施され得る。１つまたは１つより多くの処理デバイスは、方法１３００および１４００の動作のうちのいくつかまたは全てを、電子記憶媒体に電子的に格納された命令に応答して実施する、１つまたは１つより多くのデバイスを備え得る。１つまたは１つより多くの処理デバイスは、方法１３００および１４００の動作のうちの１つまたは１つより多くの実施のために特に設計されるように、ハードウェア、ファームウェア、および／またはソフトウェアを介して構成された、１つまたは１つより多くのデバイスを備え得る。
【００６３】
方法１３００に関して、動作１３０２において、システムが、被験体上またはその近傍に配置される。このシステムは、本体を備える。この本体は、第一のランナー、第二のランナー、および伝導性ワイヤを備える。この第一のランナーとこの第二のランナーとは、互いに二重螺旋に螺旋状に絡み合わせられている。伝導性ワイヤが、この第一のランナーの周囲に螺旋状に巻かれている。この第一のランナーの少なくとも一部分は、可撓性の透明繊維を備える。いくつかの実施形態において、動作１３０２は、システム１０００（図１０に示され、本明細書中に記載されている）および／またはシステム１１５（図１２に示され、本明細書中に記載されている）と同じかまたは類似であるシステムによって、実施される。
【００６４】
動作１３０４において、電磁放射線は、この可撓性の透明繊維を通して伝送され、その結果、この伝送された電磁放射線の一部は、この可撓性の透明繊維から放出される。いくつかの実施形態において、動作１３０４は、光源１００１（図１０に示され、本明細書中に記載されている）と同じかまたは類似である光源によって実施される。
【００６５】
動作１３０６において、交流が、この伝導性ワイヤを通して誘導され、その結果、この交流は、電磁的効果を被験体上またはその近傍に発生させる。放出された電磁放射線は、この電磁的効果に寄与する。いくつかの実施形態において、動作１３０６は、電流源１２（図１２に示され、本明細書中に記載されている）と同じかまたは類似である電流源によって実施される。
【００６６】
方法１４００に関して、動作１４０２において、システムが、被験体上またはその近傍に配置される。このシステムは、本体を備える。この本体は、第一のランナー、第二のランナー、およびこの第一のランナーの周囲に螺旋状に巻かれた可撓性の透明繊維を備える。この第一のランナーとこの第二のランナーとは、互いに二重螺旋に螺旋状に絡み合わせられている。いくつかの実施形態において、動作１４０２は、システム１１００（図１１に示され、本明細書中に記載されている）と同じかまたは類似であるシステムによって実施される。
【００６７】
動作１４０４において、電磁放射線は、この可撓性の透明繊維を通して伝送され、その結果、この伝送された電磁放射線の一部は、この可撓性の透明繊維から放出される。いくつかの実施形態において、動作１４０４は、光源１００１（図１１に示され、本明細書中に記載されている）と同じかまたは類似である光源によって実施される。
【００６８】
動作１４０６において、電磁的効果が、被験体上またはその近傍に、電磁放射線がこの可撓性の透明繊維から放出されることに応答して、発生する。いくつかの実施形態において、動作１４０６は、光ファイバーケーブル１１０５（図１１に示され、本明細書中に記載されている）と同じかまたは類似である可撓性の透明繊維によって実施される。
【００６９】
本発明は、最も実践的かつ好ましい実施形態であると現在見なされるものに基づいて、例証の目的のために詳細に説明されたが、そのような詳細は、もっぱらそのような目的のためのものであること、ならびに本発明は、開示される実施形態に限定されず、逆に、添付の特許請求の範囲の趣旨および範囲内にある修正および同等の配列を網羅することを意図することが理解されるべきである。例えば、本発明は、可能な範囲において、任意の実施形態の１つ以上の特徴が、任意の他の実施形態の１つ以上の特徴と組み合わせられ得ることを想定することが理解されるべきである。
【符号の説明】
【００７０】
１５  本体
１６  ランナー
１７  ランナー
１８  支柱
【図１】
2015085194.tif 000003
【図２】
2015085194.tif 000004
【図３】
2015085194.tif 000005
【図４】
2015085194.tif 000006
【図５】
2015085194.tif 000007
【図６】
2015085194.tif 000008
【図７】
2015085194.tif 000009
【図８】
2015085194.tif 000010
【図９】
2015085194.tif 000011
【図１０】
2015085194.tif 000012
【図１１】
2015085194.tif 000013
【図１２】
2015085194.tif 000014
【図１３】
2015085194.tif 000015
【図１４】
2015085194.tif 000016